(57)【要約】【課題】画像記録手段による画像出力の可能な通常モードの他に、電力消費を抑える電力モードを有する省エネ対応複合機を提供する。【解決手段】問い合せを受けた省エネ制御部１０は、予め設定された機能に対応する部品・コンポーネントの電源をONすることを主制御部１に対して要求する。省エネ制御部１０からプロッタ機能及びスキャナ機能に対応する部品・コンポーネントの通知を受けると、主制御部１は通知された部品・コンポーネントを管理するプロッタ制御部４及びスキャナ制御部１４に対して電源をONすることを要求する。主制御部１から電源のONの要求を受けると、プロッタ制御部４及びスキャナ制御部１４は電源をONし、電源をONしたことを省エネ制御部１０に通知し、かつプロッタ機能及びスキャナ機能が待機状態にあることを主制御部１に通知する。【選択図】図３
2008160413.tif 000002
【特許請求の範囲】
【請求項１】
省エネモードを有する省エネ対応複合機であって、
各機能と、各機能の実行に必要な部品・コンポーネントとを関連付けて管理し、
省エネモードから復帰するとき、予め設定された機能に対応する部品・コンポーネントを読み出し、
読み出された部品・コンポーネントの電源をONすることを特徴とする省エネ対応複合機。
【請求項２】
省エネモードを有する省エネ対応複合機であって、
操作画面と部品・コンポーネントとを関連付けて管理し、
省エネモードから復帰するとき、表示された画面に基づいて部品・コンポーネントを読み出し、
読み出された部品・コンポーネントの電源をONすることを特徴とする省エネ対応複合機。
【請求項３】
省エネモードを有する省エネ対応複合機であって、
利用者と、各利用者が使用できる機能の部品・コンポーネントとを関連付けて管理し、
省エネモードから復帰するとき、ログインした利用者が利用可能な機能の部品・コンポーネントを読み出し、
読み出された部品・コンポーネントの電源をONすることを特徴とする省エネ対応複合機。
【請求項４】
省エネモードを有する省エネ対応複合機であって、
利用者と、各利用者が使用できる機能の部品・コンポーネントと、各利用者が利用した機能の利用率とを関連付けて管理し、
省エネモードから復帰するとき、ログインした利用者に基づいて利用率の高い機能の部品・コンポーネントを読み出し、
読み出された部品・コンポーネントの電源をONすることを特徴とする省エネ対応複合機。
【請求項５】
省エネモードを有する省エネ対応複合機であって、
各機能と、各機能の実行に必要な部品・コンポーネントとを関連付けて管理し、
省エネモードに機能の実行が要求され、かつ所定時間経過しても該機能が実行されていないとき、該機能に対応する部品・コンポーネントを読み出し、
読み出された部品・コンポーネントの電源をONすることを特徴とする省エネ対応複合機。
【請求項６】
省エネモードを有する省エネ対応複合機であって、
各機能と、各機能の実行に必要な部品・コンポーネントとを関連付けて管理し、
省エネモードから復帰するとき、ユーザから要求された機能を実行することができるか否かを判断し、
該機能を実行することができないと判断されたとき、該機能が実行できるまで待機し、その後、該機能に対応する部品・コンポーネントを読み出し、
読み出された部品・コンポーネントの電源をONすることを特徴とする省エネ対応複合機。
【請求項７】
該機能を実行しているとき、該機能を正常に実行可能か否かを監視し、
正常に実行できなくなったとき、該機能に対応する部品・コンポーネントの電源をOFFし、
該機能が実行できるまで待機し、その後、該機能に対応する部品・コンポーネントを読み出し、
読み出された部品・コンポーネントの電源を再びONすることを特徴とする請求項６記載の省エネ対応複合機。
【請求項８】
省エネモードを有する省エネ対応複合機であって、
各機能と、各機能の実行に必要な部品・コンポーネントとを関連付けて管理し、
省エネモードから復帰するとき、予め設定された機能に対応する部品・コンポーネントを読み出し、
読み出された部品・コンポーネントの電源をONし、
電源がONされた部品・コンポーネントに応じて機能を実現する手段を変更することを特徴とする省エネ対応複合機。
【発明の詳細な説明】
【技術分野】
【０００１】
本発明は、省エネ対応複合機に関し、特に、画像記録手段による画像出力の可能な通常モードの他に、電力消費を抑える電力モードを有する省エネ対応複合機に関する。
【背景技術】
【０００２】
特許文献１では、通常動作モードの他に予熱モード、スリープモード等の電力消費を抑える少なくとも１つ以上の省電力モードを設け、省電力モード時には記録すべき画像データの受信が生じた時、装置の電力モードを維持したまま、受信データを画像メモリに保持する。そして操作部などからユーザによる複写動作、またはプリント動作が指示され、装置がプリントアウト可能状態に移行した場合に、この機会を利用して画像メモリに保持した受信データを出力することにより、通常動作モードへ移行する機会を少なくし、装置の消費電力を低減する画像処理装置及びその制御方法が提案されている。
【０００３】
特許文献２では、複数種類のデバイスを有し、前記複数種類のデバイスを動作させることで、複数の画像処理機能を有する複合型画像処理装置において、現在時刻を取得する計時手段と、前記計時手段を用いて一定時間毎に各機能の稼動履歴を記録する稼動履歴手段と、機能ごとに前記複数種類のデバイスを関連付けるデバイス関連手段と、各デバイスのスリープ状態を判断するスリープ手段をもち、スリープ中にユーザが復帰させた場合に、前記稼動履歴記録手段により記録された稼動履歴に基づき、復帰させるデバイスを決定することにより、電力制御をよりきめ細かく行うことが可能となり、消費電力の削減が可能とする複合型画像処理装置が提案されている。
【特許文献１】特開２０００−３１８２６５号公報
【特許文献２】特開２００６−１７１２９７号公報
【発明の開示】
【発明が解決しようとする課題】
【０００４】
しかし、上記の発明は以下の問題を有している。
【０００５】
複合機は、電源をONすると、すべての部品・コンポーネントの電源をONし、待機状態になるのが一般的である。近年、省エネに関する要求が高まり、スキャナアプリを使用するだけなので、プロッタを起動したくない場合、ファクスアプリを使用するだけなので、プロッタを起動したくない場合等、ユーザが所望しようとしている機能に関係のない部品やコンポーネントに対しては電源をOFFし、きめ細かくエネルギーを節約したいというニーズがある。
【０００６】
そこで、本発明は、省エネモードを有する省エネ対応複合機において、省エネモードから復帰するときにどの部品・コンポーネントに電源を入れるかを実行する動作に基づいて判断し、該動作の実行に必要な部品・コンポーネントについてのみ電源をONすることにより、主電源をONするときやユーザオペレーション時による省エネモードから復帰するときに、細かく電力モードを決定することができるので、省エネ効果を高く発揮できる省エネ対応複合機を提案することを目的としている。
【課題を解決するための手段】
【０００７】
請求項１記載の発明は、省エネモードを有する省エネ対応複合機であって、各機能と、各機能の実行に必要な部品・コンポーネントとを関連付けて管理し、省エネモードから復帰するとき、予め設定された機能に対応する部品・コンポーネントを読み出し、読み出された部品・コンポーネントの電源をONすることを特徴とする。
【０００８】
請求項２記載の発明は、省エネモードを有する省エネ対応複合機であって、操作画面と部品・コンポーネントとを関連付けて管理し、省エネモードから復帰するとき、表示された画面に基づいて部品・コンポーネントを読み出し、読み出された部品・コンポーネントの電源をONすることを特徴とする。
【０００９】
請求項３記載の発明は、省エネモードを有する省エネ対応複合機であって、利用者と、各利用者が使用できる機能の部品・コンポーネントとを関連付けて管理し、省エネモードから復帰するとき、ログインした利用者が利用可能な機能の部品・コンポーネントを読み出し、読み出された部品・コンポーネントの電源をONすることを特徴とする。
【００１０】
請求項４記載の発明は、省エネモードを有する省エネ対応複合機であって、利用者と、各利用者が使用できる機能の部品・コンポーネントと、各利用者が利用した機能の利用率とを関連付けて管理し、省エネモードから復帰するとき、ログインした利用者に基づいて利用率の高い機能の部品・コンポーネントを読み出し、読み出された部品・コンポーネントの電源をONすることを特徴とする。
【００１１】
請求項５記載の発明は、省エネモードを有する省エネ対応複合機であって、各機能と、各機能の実行に必要な部品・コンポーネントとを関連付けて管理し、省エネモードに機能の実行が要求され、かつ所定時間経過しても該機能が実行されていないとき、該機能に対応する部品・コンポーネントを読み出し、読み出された部品・コンポーネントの電源をONすることを特徴とする。
【００１２】
請求項６記載の発明は、省エネモードを有する省エネ対応複合機であって、各機能と、各機能の実行に必要な部品・コンポーネントとを関連付けて管理し、省エネモードから復帰するとき、ユーザから要求された機能を実行することができるか否かを判断し、該機能を実行することができないと判断されたとき、該機能が実行できるまで待機し、その後、該機能に対応する部品・コンポーネントを読み出し、読み出された部品・コンポーネントの電源をONすることを特徴とする。
【００１３】
請求項７記載の発明は、請求項６記載の省エネ対応複合機であって、該機能を実行しているとき、該機能を正常に実行可能か否かを監視し、正常に実行できなくなったとき、該機能に対応する部品・コンポーネントの電源をOFFし、該機能が実行できるまで待機し、その後、該機能に対応する部品・コンポーネントを読み出し、読み出された部品・コンポーネントの電源を再びONすることを特徴とする。
【００１４】
請求項８記載の発明は、省エネモードを有する省エネ対応複合機であって、各機能と、各機能の実行に必要な部品・コンポーネントとを関連付けて管理し、省エネモードから復帰するとき、予め設定された機能に対応する部品・コンポーネントを読み出し、読み出された部品・コンポーネントの電源をONし、電源がONされた部品・コンポーネントに応じて機能を実現する手段を変更することを特徴とする。
【発明の効果】
【００１５】
本発明は、省エネモードを有する省エネ対応複合機において、省エネモードから復帰するときにどの部品・コンポーネントに電源を入れるかを実行する動作に基づいて判断し、該動作の実行に必要な部品・コンポーネントについてのみ電源をONすることにより、主電源をONするときやユーザオペレーション時による省エネモードから復帰するときに、細かく電力モードを決定することができるので、省エネ効果を高く発揮できる。
【発明を実施するための最良の形態】
【００１６】
以下、本発明の一実施形態に係る省エネ対応複合機の構成及び動作について説明する。
【００１７】
本実施形態に係る省エネ対応複合機は、主制御部１、操作制御部２、G3/G4制御部３、プロッタ制御部４、トナー残量センサ５、宛先管理部６、ファイル管理部７、レポート制御部８、ネットワーク制御部９、省エネ制御部１０、DMA制御部１１、表示制御部１２、圧縮伸張制御部１３、スキャナ制御部１４、用紙センサ１５、ジョブ制御部１６、ユーザ管理部（機能利用ログ）１７、内部スイッチ１８、ページフレーム制御部１９、HD制御部２０、ソータ制御部２１、及びHDD制御部２２を有して構成される。本発明の特徴である省エネ制御部１０は、機能と部品又はコンポーネントとの関係を管理し、主電源ON時や省エネ復帰時に、どの部品・コンポーネントの電源をONするかを管理している。
【００１８】
次に、本実施形態に係る省エネ対応複合機の動作について説明する。
【００１９】
まず、図３を用いて主制御部１が動作可能状態となったときの動作について説明する。
【００２０】
省エネ対応複合機の主電源がONされると、主制御部１は初期化処理を実行する（ステップS３０１）。自機の初期化処理が完了すると、主制御部１は省エネ制御部１０に対してどの部品・コンポーネントの電源をONするかを問い合せる（ステップS３０２）。問い合せを受けた省エネ制御部１０は、予め設定された機能に対応する部品・コンポーネントの電源をONすることを主制御部１に対して要求する（ステップS３０３）。なお、ここでは電源をONする機能としてプロッタ機能及びスキャナ機能が設定されていたものとする。
【００２１】
省エネ制御部１０からプロッタ機能及びスキャナ機能に対応する部品・コンポーネントの通知を受けると、主制御部１は通知された部品・コンポーネントを管理するプロッタ制御部４及びスキャナ制御部１４に対して電源をONすることを要求する（ステップS３０４）。主制御部１から電源のONの要求を受けると、プロッタ制御部４及びスキャナ制御部１４は電源をONし、電源をONしたことを省エネ制御部１０に通知し（ステップS３０５）、かつプロッタ機能及びスキャナ機能が待機状態にあることを主制御部１に通知する（ステップS３０６）。
【００２２】
上述の構成によれば、主電源ON時やユーザオペレーション時による省エネ復帰時に、細かく電力モードを決定することができるので、省エネ効果を高く発揮できる。
【００２３】
次に、図４を用いて省エネ制御部１０が機能と、部品・コンポーネントと、操作画面IDとを関連付けて管理している場合の動作について説明する。なお、省エネ対応複合機は、タッチパネル機能付きの操作部を有し、ユーザが自機を利用するために操作部にタッチすると、操作制御部２の電源がONとなり、図２に示す機能選択画面が表示される。
【００２４】
まず、図２に示す機能選択画面からコピー操作が選択されると、操作制御部２はコピー操作の選択により表示される画面の操作画面IDを主制御部１に通知する（ステップS４０１）。操作画面IDの通知を受けると、主制御部１は通知された操作画面IDを省エネ制御部１０に通知する（ステップS４０２）。省エネ制御部１０は、通知された操作画面IDに対応する機能（ここでは、プロッタ機能及びスキャナ機能とする）の部品・コンポーネントの電源をONすることを主制御部１に対して要求する（ステップS４０３）。なお、省エネ制御部１０は、表１に示すように、操作画面IDと起動する機能とを関連付けたテーブルを保持し、電源をONする機能を決定する。
【００２５】
【表１】
2008160413.tif 000003
【００２６】
主制御部１は、電源のONを要求された機能に対応する部品・コンポーネントを管理するプロッタ制御部４、及びスキャナ制御部１４に対して電源をONすることを要求する（ステップS４０４）。主制御部１から電源のONの要求を受けると、プロッタ制御部４及びスキャナ制御部１４は電源をONし、電源をONしたことを省エネ制御部１０に通知する（ステップS４０５）。
【００２７】
次に、図２に示す機能選択画面からソート印刷が選択されると、操作制御部２はソート印刷の選択により表示される画面の操作画面IDを主制御部１に通知する（ステップS４０６）。操作画面IDの通知を受けると、主制御部１は通知された操作画面IDを省エネ制御部１０に通知する（ステップS４０７）。省エネ制御部１０は、通知された操作画面IDに対応する機能（ここでは、ソータ機能とする）の部品・コンポーネントの電源をONすることを主制御部１に対して要求する（ステップS４０８）。
【００２８】
主制御部１は、電源のONを要求された機能に対応する部品・コンポーネントを管理するソータ制御部２１に対して電源をONすることを要求する（ステップS４０９）。主制御部１から電源のONの要求を受けると、ソータ制御部２１は電源をONし、電源をONしたことを省エネ制御部１０に通知する（ステップS４１０）。
【００２９】
ユーザが上述の一連の操作を完了させ、機能実行のためにスタートキーを押下した時点で、主制御部１は、部品・コンポーネントを管理する各制御部からのレディーを確認した後、操作制御部２から入力された機能とそのパラメータを該当する部品・コンポーネントの実行を各制御部に指示する（ステップS４１１〜ステップS４１３）。
【００３０】
上述の構成によれば、操作に手順にしたがって機能を絞り込むと同時に省エネモードを絞り込むことができる。電源ONからOFFになるような場合は省エネ効果を生むことができるのはもちろん、電源OFFからONにするような場合では、ユーザが所望する機能を決定していなくても省エネモードを推論し確定できるので、復帰待ち時間を減らせて使い勝手がよくなる。
【００３１】
次に、省エネ対応複合機を操作するユーザ毎に起動する機能を決定することにより、省エネを図る動作について図５を用いて説明する。
【００３２】
まず、ユーザが操作部を操作して主制御部１にログインを要求すると（ステップS５０１）、主制御部１は、ログインを要求しているユーザが自機の利用を許可されているユーザである否かをユーザ管理部１７に問い合せる（ステップS５０２）。なお、ユーザ管理部１７には、予め自機の利用が許可されているユーザと該ユーザが利用可能な機能とが関連付けて登録されているものとする。
【００３３】
ユーザ管理部１７は、ログインを要求しているユーザが登録されているか否かを判断し、登録されていた場合は該ユーザと関連付けられた機能（ここでは、プロッタ機能、スキャナ機能、及びソータ機能とする）を主制御部１に通知する（ステップS５０３）。機能の通知を受けると、主制御部１は該機能の起動に必要な部品・コンポーネントを省エネ制御部１０に問い合せる（ステップS５０４）。
【００３４】
省エネ制御部１０は、問い合せを受けた機能に対応する部品・コンポーネントの電源をONすることを主制御部１に対して要求する（ステップS５０５）。なお、省エネ制御部１０は、表２に示すように、各機能（アプリケーション）と、各機能の実行に必要な部品・コンポーネントとを関連付けたテーブルを保持している。
【００３５】
【表２】
2008160413.tif 000004
【００３６】
主制御部１は、電源のONを要求された機能に対応する部品・コンポーネントを管理するプロッタ制御部４、スキャナ制御部１４、及びソータ制御部２１に対して電源をONすることを要求する（ステップS５０６）。主制御部１から電源のONの要求を受けると、プロッタ制御部４、スキャナ制御部１４、及びソータ制御部２１は電源をONし、電源をONしたことを省エネ制御部１０に通知する（ステップS５０７）。
【００３７】
ユーザが上述の一連の操作を完了させ、機能実行のためにスタートキーを押下した時点で、主制御部１は、部品・コンポーネントを管理する各制御部からのレディーを確認した後、操作制御部２から入力された機能とそのパラメータを該当する部品・コンポーネントの実行を各制御部に指示する（ステップS５０８〜ステップS５１０）。
【００３８】
上述の構成によれば、昨今のセキュリティ強化の環境と連携し、ユーザを特定し機能制限する手段によって省エネモードを決定できるので、省エネ効果を生むことができるのはもちろん、復帰待ち時間を減らせて使い勝手がよくなる。
【００３９】
次に、省エネ対応複合機を操作するユーザ及び機能の利用率応じて起動する機能を決定することにより、省エネを図る動作について図６を用いて説明する。
【００４０】
まず、ユーザが操作部を操作して主制御部１にログインを要求すると（ステップS６０１）、主制御部１は、ログインを要求しているユーザが自機の利用を許可されているユーザである否かをユーザ管理部１７に問い合せる（ステップS６０２）。なお、ユーザ管理部１７には、予め自機の利用が許可されているユーザと、該ユーザが利用可能な機能と、該ユーザによる各機能の利用率とが関連付けて登録されているものとする。
【００４１】
ユーザ管理部１７は、ログインを要求しているユーザが登録されているか否かを判断し、登録されていた場合は該ユーザと関連付けられた機能（ここでは、プロッタ機能、スキャナ機能、及びソータ機能とする）のうち利用率が高い機能を主制御部１に通知する（ステップS６０３）。なお、本実施例においてはソータ機能の利用率は低いものとする。機能の通知を受けると、主制御部１は該機能の起動に必要な部品・コンポーネントを省エネ制御部１０に問い合せる（ステップS６０４）。
【００４２】
省エネ制御部１０は、問い合せを受けた機能に対応する部品・コンポーネントの電源をONすることを主制御部１に対して要求する（ステップS６０５）。なお、省エネ制御部１０は、表２に示すように、各機能（アプリケーション）と、各機能の実行に必要な部品・コンポーネントとを関連付けたテーブルを保持している。
【００４３】
主制御部１は、電源のONを要求された機能に対応する部品・コンポーネントを管理するプロッタ制御部４、及びスキャナ制御部１４に対して電源をONすることを要求する（ステップS６０６）。主制御部１から電源のONの要求を受けると、プロッタ制御部４、及びスキャナ制御部１４は電源をONし、電源をONしたことを省エネ制御部１０に通知する（ステップS６０７）。
【００４４】
ユーザが上述の一連の操作を完了させ、機能実行のためにスタートキーを押下した時点で、主制御部１は、部品・コンポーネントを管理する各制御部からのレディーを確認した後、操作制御部２から入力された機能とそのパラメータを該当する部品・コンポーネントの実行を各制御部に指示する（ステップS６０８〜ステップS６１０）。最後に、主制御部１は、利用された機能をユーザ管理部１７に通知し、各機能の利用率の更新を要求する（ステップS６１１）。ユーザ管理部１７では、本ユーザのログイン回数を加算し、実行した機能を履歴として記憶する。また、利用率が低いとされた機能を実行する場合は、その機能の操作画面に遷移したときに関わる部品・コンポーネントの制御部に対して、電源ONの指示を出す。
【００４５】
上述の構成によれば、昨今のセキュリティ強化の環境と連携し、ユーザを特定し機能制限するばかりでなく、ユーザに許されている利用可能機能の利用率によって省エネモードを決定できるので、省エネ効果を生むことができる。
【００４６】
次に、省エネモード中にファックスを受信した場合において、受信した文書を無効とせず、必要な機能をONして受信文書を出力する動作について図７を用いて説明する。
【００４７】
まず、ジョブ制御部１６は、自機で行われるジョブを常に監視し、ファックスの受信を検出すると、受信した原稿の印刷を主制御部１に要求する（ステップS７０１）。主制御部１は、原稿の印刷に必要な機能及び該機能の実行に必要な部品・コンポーネントを省エネ制御部１０に問い合せる（ステップS７０２）。省エネ制御部１０は、原稿の印刷に必要な機能の全てが起動されているか否かを判断する。そして、起動していない機能がある場合は、該機能の実行に必要な部品・コンポーネントを主制御部１に通知する（ステップS７０３）。なお、ここではプロッタ機能が起動されていなかったものとする。なお、全ての機能が起動済みで、かつ印刷待ちのタイムアウトタイマーがタイムアウトしている場合には、主制御部１はタイムアウトをトリガーにプロッタ制御部４に電源のONを要求して印刷を実行する。
【００４８】
次に、主制御部１は、印刷待ちタイムアウトタイマーをスタートさせ、かつ所定期間毎に、ファイル管理部７に受信した原稿の蓄積する画像メモリが一杯であるか否かを問い合せる（ステップS７０４）。画像メモリに空き領域がある場合は（ステップS７０６）、主制御部１は、タイムアウトタイマーを停止させ、プロッタ機能に対応する部品・コンポーネントを管理するプロッタ制御部４に対して電源をONすることを要求する（ステップS７０６）。主制御部１から電源のONの要求を受けると、プロッタ制御部４は電源をONし、電源をONしたことを省エネ制御部１０に通知する（ステップS７０７）。
【００４９】
ユーザが上述の一連の操作を完了させ、機能実行のためにスタートキーを押下した時点で、主制御部１は、部品・コンポーネントを管理する各制御部からのレディーを確認した後、操作制御部２から入力された機能とそのパラメータを該当する部品・コンポーネントの実行を各制御部に指示する（ステップS７０８〜ステップS７０９）。
【００５０】
上述の構成によれば、省エネ効果を追求するばかりに機能が無効になることを防ぐことができるので、省エネ効果を生むばかりでなく使い勝手がよくなる。
【００５１】
次に、消耗品や出力トレイの状態によって省エネモードによる機能の実行を行うか否かを決定する動作について、図８を用いて説明する。
【００５２】
まず、図２に示す機能選択画面からコピー操作が選択されると、操作制御部２はコピー操作の選択により表示される画面の操作画面IDを主制御部１に通知する（ステップS８０１）。操作画面IDの通知を受けると、主制御部１は通知された操作画面IDを省エネ制御部１０に通知する（ステップS８０２）。省エネ制御部１０は、通知された操作画面IDに対応する機能（ここでは、プロッタ機能及びスキャナ機能とする）の部品・コンポーネントの電源をONすることを主制御部１に対して要求する（ステップS８０３）。
【００５３】
主制御部１は、電源のONを要求された機能に対応する部品・コンポーネントを管理するプロッタ制御部４、及びスキャナ制御部１４に対して電源をONすることを要求する（ステップS８０４）。主制御部１から電源のONの要求を受けると、プロッタ制御部４及びスキャナ制御部１４は電源をONし、電源をONしたことを省エネ制御部１０に通知する（ステップS８０５）。
【００５４】
さらに、主制御部１は、プロッタ制御部４とは別電源として管理されるトナー残量センサ５及び用紙センサ１５に対して電源をONすることを要求する（ステップS８０６）。主制御部１から電源のONの要求を受けると、トナー残量センサ５及び用紙センサ１５は電源をONし、電源をONしたことを省エネ制御部１０に通知する（ステップS８０７）。トナー残量センサ５及び用紙センサ１５の電源がONされると、主制御部１は常にトナー残量センサ５及び用紙センサ１５からトナー残量及び用紙の有無についての通知を監視する。そして、トナー残量及び用紙に問題ないとの通知を受けると（ステップS８０８）、ユーザが機能実行のためにスタートキーを押下した時点で、主制御部１は、部品・コンポーネントを管理する各制御部からのレディーを確認した後、操作制御部２から入力された機能とそのパラメータを該当する部品・コンポーネントの実行を各制御部に指示する（ステップS８１３〜ステップS８１５）。
【００５５】
一方、トナー残量及び用紙の有無のいずれか１つについて準備ができてない旨の通知を受けると（ステップS８０９）、主制御部１は、プロッタ制御部４に電源をOFFすることを要求して、ユーザによって用紙が補給されるのを待って待機する（ステップS８１０）。そして、用紙センサ１５から用紙が補給された旨の通知を受けると、主制御部１は再びプロッタ制御部４に電源をONすることを要求する（ステップS８１１）。プロッタ制御部４は、電源をONし、電源をONしたことを省エネ制御部１０に通知する（ステップS８１２）。そして、ユーザが機能実行のためにスタートキーを押下した時点で、主制御部１は、部品・コンポーネントを管理する各制御部からのレディーを確認した後、操作制御部２から入力された機能とそのパラメータを該当する部品・コンポーネントの実行を各制御部に指示する（ステップS８１３〜ステップS８１５）。
【００５６】
上述の構成によれば、消耗品や出力トレイの状態によって省エネモードを決定できるので、よりきめ細かい省エネ効果を生むことができる。
【００５７】
次に、印刷動作中に消耗品や出力トレイの状態が変化し、電力モードの変更が必要となった場合の動作について、図９を用いて説明する。
【００５８】
まず、トナー残量センサ５及び用紙センサ１５のいずれか１つからトナーなし又は用紙なしの通知を受けると、主制御部１はDMA制御部１１に対して画像転送の停止を要求する。また、主制御部１は、プロッタ制御部４へ電源をOFFすることを要求する（ステップS９０２）。主制御部１から電源のOFFが要求されると、プロッタ制御部４は電源をOFFし、かつ電源をOFFしたことを省エネ制御部１０に通知する（ステップS９０３）。さらに、主制御部１は、HDD制御部２２に電源をONすることを要求する（ステップS９０４）。主制御部１から電源のONが要求されると、HDD制御部２２は電源をONし、かつ電源をONしたことを省エネ制御部１０及び主制御部１に通知する（ステップS９０５、ステップS９０６）。
【００５９】
主制御部１は、HDD制御部２２からのHDDが待機状態にあることの通知を受けると、スキャナ制御部１４からプロッタ制御部４への転送を、スキャナ制御部１４からHDD制御部２２への転送へとDMA制御部１１の設定を変更して、スキャナ制御部１４からHDD制御部２２への転送を開始する。
【００６０】
そして、トナー残量センサ５、用紙センサ１５からトナーの充填、用紙の補給が完了した旨の通知を受けると（ステップS９０７）、主制御部１は、DMA制御部１１に対して画像転送の停止を要求する。次に、主制御部１は、プロッタ制御部４に対して電源をONすることを要求する（ステップS９０８）。主制御部１から電源をONすることが要求されると、プロッタ制御部４は電源をONし、その旨を省エネ制御部１０に通知する（ステップS９０９）。さらに、プロッタ制御部４は、主制御部１にプロッタが待機状態にあることを通知する（ステップS９１０）。
【００６１】
プロッタ制御部４からプロッタが待機状態にある旨の通知を受けると、主制御部１はスキャナ制御部１４からHDD制御部２２への転送を、スキャナ制御部１４からHDD制御部２２へ、HDD制御部２２からプロッタ制御部４への転送へとDMA制御部１１の設定を変更して、スキャナ制御部１４からHDD制御部２２への転送を開始する。それと同時に、主制御部１は、部品・コンポーネントを管理する各制御部からのレディーを確認した後、操作制御部２から入力された機能とそのパラメータを該当する部品・コンポーネントの実行を各制御部に指示する（ステップS９１１）。
【００６２】
上述の構成によれば、正常動作時と異常動作時で省エネ制御を分離しているので、動作開始時には、正常動作での省エネモードで動作すればよく、よりきめ細かい省エネ効果を生むことができる。
【００６３】
次に、HDDが動作しているモードにおいてファックスを送信する場合に、スキャンした画像をHDDに保存してから送信し、HDDが動作していない場合はRAM等の一時保存手段を利用して直接ファックスを送信することにより、よりきめ細かい電力モードの変更を実行する動作について図１０を用いて説明する。
【００６４】
現在HDDが動作している省エネモードでファックスを送信する場合に、ユーザがファクスを利用するために、操作部のファクス操作選択ボタンを押下すると「ファクス詳細操作画面」に遷移する（ステップS１００１）。この時点で、主制御部１は遷移した画面の操作画面IDの通知を操作制御部２から受け（ステップS１００２）、これを元に主制御部１は操作画面IDと関連する部品・コンポーネントを省エネ制御部１０に問い合せる（ステップS１００３）。ここでは、省エネ制御部１０は、ファックスの送信に必要な機能としてスキャナ機能に対応する部品・コンポーネントを主制御部１に通知する（ステップS１００４）。また、HDDの電源が既にONされている場合は、その旨が主制御部１に通知される。
【００６５】
次に、主制御部１は、スキャナ制御部１４に対して電源をONすることを要求する（ステップS１００４）。スキャナ制御部１４は、要求に従って電源をONし、かつ電源をONした旨を省エネ制御部１０に通知する（ステップS１００５）。
【００６６】
ユーザが一連の操作が完了し、機能実行のためにスタートキーを押下した時点で、主制御部１は、スキャナ制御部１４の待機状態を確認した後、操作制御部２から入力された機能とそのパラメータを該当する部品・コンポーネントの制御部に指示するが、HDDの電源が既にONということからスキャンした画像をHDDに保存してから送信することを許す（ステップS１００６〜ステップS１００８）。HDDが起動していない場合は、単にRAMを利用するだけの直接送信するといったことを行う（ステップS１００６〜ステップS１００８）。
【００６７】
上述の構成によれば、正常動作時と代替動作時で省エネ制御を分離しているので、動作開始時には、正常動作での省エネモードで動作すればよく、よりきめ細かい省エネ効果を生むことができる。
【図面の簡単な説明】
【００６８】
【図１】本実施形態に係る省エネ対応複合機のシステム構成を示すブロック図である。
【図２】操作部の画面に表示される画面の一例である。
【図３】予め設定された機能に基づいて電源をONする部品・コンポーネントを決定する動作のシーケンス図である。
【図４】指示された操作画面に基づいて電源をONする部品・コンポーネントを決定する動作のシーケンス図である。
【図５】利用者に応じて電源をONする部品・コンポーネントを決定する動作のシーケンス図である。
【図６】利用者による各機能の利用率に応じて電源をONする部品・コンポーネントを決定する動作のシーケンス図である。
【図７】省エネモード中にファックス受信した場合の動作のシーケンス図である。
【図８】各センサからの通知に応じて部品・コンポーネントの電源をOFF又はONする動作のシーケンス図である。
【図９】印刷中の各センサからの通知に応じて部品・コンポーネントの電源をOFF又はONする動作のシーケンス図である。
【図１０】起動している部品・コンポーネントに応じて動作を変更する処理のシーケンス図である。
【符号の説明】
【００６９】
１    主制御部
２    操作制御部
３    G3/G4制御部
４    プロッタ制御部
５    トナー残量センサ
６    宛先管理部
７    ファイル管理部
８    レポート制御部
９    ネットワーク制御部
１０    省エネ制御部
１１    DMA制御部
１２    表示制御部
１３    圧縮伸張制御部
１４    スキャナ制御部
１５    用紙センサ
１６    ジョブ制御部
１７    ユーザ管理部（機能利用ログ）
１８    内部スイッチ
１９    ページフレーム制御部
２０    HD制御部
２１    ソータ制御部
２２    HDD制御部
【図１】
2008160413.tif 000005
【図２】
2008160413.tif 000006
【図３】
2008160413.tif 000007
【図４】
2008160413.tif 000008
【図５】
2008160413.tif 000009
【図６】
2008160413.tif 000010
【図７】
2008160413.tif 000011
【図８】
2008160413.tif 000012
【図９】
2008160413.tif 000013
【図１０】
2008160413.tif 000014